(57)【要約】移動電話（１０）をオーディオゲートウェイとして使用するシステム及び方法が開示される。一実施形態において、移動電話（１２）は無線ネットワーク（１００）へのアクセスを要求する。ここで無線ネットワーク（１００）は、マルチメディアコンテンツを含む少なくとも１つのリモートサーバ（１０２）を含む。移動電話（１２）は、サブネットインターネットプロトコル（ＩＰ）アドレスをレンダリングデバイス（１４）に割り当てる。ユーザの認証後、ユーザは無線ネットワーク（１００）と関連付けられる少なくとも１つのサービス又はデバイス又はその両方を選択する。その後、ストリーミングオーディオは、割り当てられたサブネットＩＰアドレスに基づいてレンダリングデバイス（１４）にルーティングされる。
2009538087.tif 000002
【特許請求の範囲】
【請求項１】
マルチメディアコンテンツをレンダリングする方法であって、
移動電話（１２）により少なくとも１つのリモートサーバ（１０２）を含む無線ネットワーク（１００）へのアクセスを要求する工程と、
前記移動電話（１２）によりサブネットインターネットプロトコル（ＩＰ）アドレスをレンダリングデバイス（１４）に割り当てる工程と、
前記無線ネットワーク（１００）と関連付けられる関連するユーザにより少なくとも１つのサービス又はデバイス又はその両方を選択する工程と、
前記割り当てられたサブネットＩＰアドレスに基づいて、前記選択されたサービス又はデバイス又はその両方に関連するストリーミングオーディオを前記レンダリングデバイス（１４）に径路付けする工程と
を有する方法。
【請求項２】
前記移動電話（１２）は、ダイナミックホストコンフィギュレーションプロトコルを利用して前記ネットワーク（１００）からの受信信号に対する１つ以上の動作を提供するように構成される請求項１記載の方法。
【請求項３】
前記移動電話（１２）は、ネットワークアドレス変換を利用して前記ネットワーク（１００）からの受信信号に対する１つ以上の動作を提供するように構成される請求項１又は２記載の方法。
【請求項４】
前記アクセスに対する要求は、前記移動電話（１２）と関連付けられる無線ローカルエリアアダプタ（５２）により送信される請求項１から３のいずれか１項に記載の方法。
【請求項５】
前記無線ネットワーク（１００）へのアクセスを要求する前に、前記移動電話（１２）を前記レンダリングデバイス（１４）に関連付けることを更に含む請求項１から４のいずれか１項に記載の方法。
【請求項６】
前記レンダリングデバイス（１４）は無線ヘッドセットである請求項１から５のいずれか１項に記載の方法。
【請求項７】
前記無線ネットワーク（１００）上で利用可能なサービス又はデバイス又はその両方のＩＤを提供する前に、前記ネットワーク（１００）により前記移動電話（１２）を認証することを更に含む請求項１から６のいずれか１項に記載。
【請求項８】
マルチメディアをレンダリングする方法であって、
少なくとも１つの無線アクセスポイント（１１０）及び１つ以上のサーバ（１０２）を含む無線ローカルエリアネットワーク（１００）において移動電話（１０）の一意のアドレスを取得する工程と、
前記移動電話（１２）と関連付けられるレンダリングデバイス（１４）にサブネットインターネットプロトコル（ＩＰ）アドレスを割り当てる工程と、
前記移動電話（１２）を介して前記ネットワーク（１００）上の前記サーバ（１０２）のうち少なくとも１つからの情報を要求する工程と、
前記情報に対する要求に応答して前記移動電話（１２）により情報を受信する工程と、
前記割り当てられたＩＰアドレスに基づいて、前記要求された情報と関連付けられるストリーミングオーディオを前記レンダリングデバイス（１４）に送出する工程と
を有する方法。
【請求項９】
前記一意のアドレスは、前記無線ローカルエリアネットワーク（１００）と関連付けられるインターネットプロトコルアドレスである請求項８記載の方法。
【請求項１０】
マルチメディアコンテンツをレンダリングする方法であって、
移動電話（１２）により無線ネットワーク（１００）へのアクセスを要求する工程と、
前記無線ネットワーク（１００）上でセッションを確立する工程と、
前記移動電話（１２）によりサブネットインターネットプロトコル（ＩＰ）アドレスを周辺装置（１４）に割り当てる工程と、
前記無線ネットワーク（１００）に通信可能に結合された関連するサーバ（１０２）から前記移動電話（１２）にサービス又はデバイス又はその両方のＩＤを提供する工程と、
関連するユーザにより少なくとも１つのサービス又はデバイス又はその両方を選択する工程と、
前記割り当てられたサブネットＩＰアドレスに基づいて、前記選択されたサービス又はデバイス又はその両方に関連するストリーミングオーディオを前記周辺装置にルーティングする工程と
を有する方法。
【発明の詳細な説明】
【技術分野】
【０００１】
本発明は、マルチメディアストレージソースと、移動電話又はレンダリングデバイス（例えば、ヘッドセット）又はその両方との間でマルチメディアコンテンツをレンダリングするシステム及び方法に関する。
【背景技術】
【０００２】
移動電話は、音声のみの電子デバイスから多機能の電子デバイスまで進歩してきた。例えば現在、移動電話は電子オーガナイザ、デジタルカメラ、オーディオアプリケーション（例えば、ＭＰ３プレーヤ）、ビデオアプリケーション（例えば、ビデオプレーヤ）、テレビゲーム端末等として機能できる。更に移動電話は、音声通信のために使用されるだけでなく種々の他の形態（例えば、インスタントメッセージングアプリケーション、写真の共有、インターネット上の情報へのアクセス権の取得等）でも使用される。
【０００３】
移動電話が進歩するにつれて、移動電話のアクセサリも増加してきた。例えば、初期の移動電話の場合、ユーザは、使用中に口及び耳の近くに電話機を保持する必要があった。その後、移動電話に接続される有線イヤホン及びマイクが開発された。有線イヤホンにより、ユーザの手は、使用中に移動電話を保持することから解放される。また、無線でハンズフリーという便利さをユーザに提供する無線ヘッドセットが開発された。
【０００４】
ヘッドセット及び移動電話で共通に使用される無線インタフェースを「Ｂｌｕｅｔｏｏｔｈ」技術と呼ぶ。Ｂｌｕｅｔｏｏｔｈは、パーソナルコンピュータ、移動電話、ヘッドセット、プリンタ、パーソナルデジタルアシスタント（「ＰＤＡ」）等の種々の電子デバイス間の無線伝送を標準化するために設計された技術仕様を基準とする。Ｂｌｕｅｔｏｏｔｈは「仮想ケーブル」として動作し、それにより１つの電子デバイスは別の電子デバイスと容易に通信できる。
【０００５】
Ｂｌｕｅｔｏｏｔｈは、データパケットが干渉を低減するために１６００ホップ／秒の速度で２．４５ＧＨｚスペクトルに拡散する周波数ホッピングスペクトラム拡散を使用して動作する。３Ｍｂｐｓより速いデータ転送速度がその後の規格のバージョンで提案されているが、Ｂｌｕｅｔｏｏｔｈデバイスの場合、公称リンク範囲は１０ｍであり、全体のデータ転送速度は最大３Ｍｂｐｓである。Ｂｌｕｅｔｏｏｔｈは、音声に対する同期接続（「ＳＣＯ」）リンク及びパケットデータに対する非同期接続（「ＡＣＬ」）リンクの双方をサポートできる。
【０００６】
現在、無線ローカルエリアネットワーク（「ＷＬＡＮ」）は、日常生活において広く普及している。そのようなＷＬＡＮは、通常、多くの公共領域（いわゆる「ホットスポット」又は「ホットゾーン」）、並びに自宅及びオフィス環境において利用可能である。一般にＷＬＡＮは、１つ以上のＩＥＥＥ規格（例えば、８０２．１１ａ、８０２．１１ｂ、８０２．１１ｇ等）に準拠し、認証及びリンクレベルセキュリティ手順によりアクセスを制限するか又はオープンアクセスを提供するように容易に構成される。
【０００７】
一般にエンドユーザは、固定デバイス、携帯デバイス又は完全な移動デバイスの取り外し可能な構成要素又は完全に組み込まれた構成要素として実現されてもよいＷＬＡＮアダプタを介してＷＬＡＮにアクセスする。デスクトップコンピュータにおけるそのような実現例には、ＩＳＡ又はＰＣＩカード、並びに外部の又は取り外し可能なＵＳＢアダプタが含まれる。ラップトップコンピュータに対する典型的な実装例には、取り外し可能なＰＣＭＣＩＡカード又は組込みＰＣＩＥｘｐｒｅｓｓ又はＵＳＢアダプタが含まれ、ＰＤＡ及び移動電話に対する典型的な実装例には、取り外し可能なＳＤカード又は組込みＵＳＢ又はＳＤＩＯ相互接続が含まれる。更に物理ＷＬＡＮアダプタは、通常、デバイスのオペレーティングシステムがアダプタを管理すること及びエンドユーザの利益となるように種々のアプリケーションにより使用される無線ネットワークへの透過的な接続を作成することを可能にするソフトウェア（「ドライバ」）により強化される。
【０００８】
移動電話と移動電話のアクセサリ（例えば、ヘッドセット、ハンズフリーキット等）との間の通信を容易にするための従来の方法により、一般に、移動電話から信号が直接受信できる。移動電話と移動電話のアクセサリとの間で無線通信を行なう場合、Ｂｌｕｅｔｏｏｔｈ対応プロトコルが利用されることが多い。Ｂｌｕｅｔｏｏｔｈの実現例の場合、一般に移動電話により受信されるメディアは、ＩＥＴＦプロトコル（例えば、ＳＩＰ、ＳＤＰ、ＲＴＰ、ＴＣＰ、ＵＤＰ等）で提供される。ストリーミングメディアは、移動電話により受信されると、Ｂｌｕｅｔｏｏｔｈ用プロトコル（例えば、高度オーディオ配信プロファイルＡ２ＤＰ）に変換され、レンダリングデバイス（例えば、ヘッドセット）に送信される。ストリーミングメディアをＢｌｕｅｔｏｏｔｈ用プロトコルに変換することにより、種々の方法で移動電話の機能性を制限する。例えば、レンダリングデバイスの機能性を制限したり、多重タスクに対して移動電話を使用するユーザの能力を制限したり、移動電話のバッテリ寿命を制限したりする。
【発明の開示】
【発明が解決しようとする課題】
【０００９】
多くの場合、移動電話のユーザが移動電話のアクセサリの機能性を全て利用し、マルチメディアコンテンツへのアクセス権を得ることが望ましい。従って、無線ネットワークのエンドポイント間（例えば、ストリーミングソースとレンダリングデバイスとの間）でＩＥＴＦ対応プロトコルを利用してデータパスを確立するシステム及び方法に対する強い要望がある。
【課題を解決するための手段】
【００１０】
本発明の１つの面は、マルチメディアコンテンツをレンダリングする方法に関する。その方法は、移動電話により少なくとも１つのリモートサーバを含む無線ネットワークへのアクセスを要求する工程と、移動電話によりサブネットインターネットプロトコル（ＩＰ）アドレスをレンダリングデバイスに割り当てる工程と、無線ネットワークと関連付けられる関連するユーザにより少なくとも１つのサービス又はデバイス又はその両方を選択する工程と、割り当てられたサブネットＩＰアドレスに基づいて、選択されたサービス又はデバイス又はその両方に関連するストリーミングオーディオをレンダリングデバイスにルーティングする工程とを有する。
【００１１】
本発明の１つの面によると、移動電話は、ダイナミックホストコンフィギュレーションプロトコルを利用してネットワークからの受信信号に対する１つ以上の動作を提供するように構成される。
【００１２】
本発明の１つの面によると、移動電話は、ネットワークアドレス変換を利用してネットワークからの受信信号に対する１つ以上の動作を提供するように構成される。
【００１３】
本発明の１つの面によると、アクセスに対する要求は、移動電話と関連付けられる無線ローカルエリアアダプタにより送信される。
【００１４】
本発明の１つの面によると、移動電話は、無線ネットワークへのアクセスを要求する前にレンダリングデバイスと関連付けられる。
【００１５】
本発明の１つの面によると、レンダリングデバイスは無線ヘッドセットである。
【００１６】
本発明の１つの面によると、移動電話は、無線ネットワーク上で利用可能なサービス又はデバイス又はその両方のＩＤを提供する前にネットワークにより認証される。
【００１７】
本発明の１つの面によると、サーバはメディアサーバである。
【００１８】
本発明の別の面は、マルチメディアをレンダリングする方法に関する。その方法は、少なくとも１つの無線アクセスポイント及び１つ以上のサーバを含む無線ローカルエリアネットワークにおいて移動電話の一意のアドレスを取得する工程と、移動電話と関連付けられるレンダリングデバイスにサブネットインターネットプロトコル（ＩＰ）アドレスを割り当てる工程と、移動電話を介してネットワーク上のサーバのうち少なくとも１つからの情報を要求する工程と、情報に対する要求に応答して移動電話により情報を受信する工程と、割り当てられたＩＰアドレスに基づいて、要求された情報と関連付けられるストリーミングオーディオをレンダリングデバイスに送出する工程とを有する。
【００１９】
本発明の１つの面によると、一意のアドレスは無線ローカルエリアネットワークと関連付けられるインターネットプロトコルアドレスである。
【００２０】
本発明の１つの面によると、受信した情報はネットワーク上で利用可能なサービス又はデバイス又はその両方のＩＤを含む。
【００２１】
本発明の１つの面によると、サービス又はデバイス又はその両方のＩＤはメディアサーバ上に格納されたマルチメディアコンテンツを含む。
【００２２】
本発明の１つの面によると、マルチメディアコンテンツは少なくとも１つの可聴コンポーネントを含む。
【００２３】
本発明の１つの面によると、マルチメディアコンテンツは移動電話上に表示するためのビデオコンポーネントを更に含む。
【００２４】
本発明の１つの面によると、移動電話は８０２．１１対応通信プロトコルを介してローカルエリアネットワークに通信可能に結合される。
【００２５】
本発明の１つの面によると、ヘッドセットは８０２．１１対応通信プロトコルを介して無線ローカルエリアネットワークに通信可能に結合される。
【００２６】
本発明の１つの面によると、第２の無線通信プロトコルを介して移動電話からレンダリングデバイスに制御信号を直接送信する。
【００２７】
本発明の１つの面によると、第２の無線通信プロトコルはＢｌｕｅｔｏｏｔｈである。
【００２８】
本発明の別の面は、マルチメディアコンテンツをレンダリングする方法に関する。その方法は、移動電話により無線ネットワークへのアクセスを要求する工程と、無線ネットワーク上でセッションを確立する工程と、移動電話によりサブネットインターネットプロトコル（ＩＰ）アドレスを周辺装置に割り当てる工程と、無線ネットワークに通信可能に結合された関連するサーバから移動電話にサービス又はデバイス又はその両方のＩＤを提供する工程と、関連するユーザにより少なくとも１つのサービス又はデバイス又はその両方を選択する工程と、割り当てられたサブネットＩＰアドレスに基づいて、選択されたサービス又はデバイス又はその両方に関連するストリーミングオーディオを周辺装置にルーティングする工程とを有する。
【００２９】
本発明の１つの面によると、セッションは移動電話により制御される。
【００３０】
本発明の別の面は、サブネットインターネットプロトコル（ＩＰ）アドレスをヘッドセットに割り当てるために移動電話において使用するのに適し、機械可読媒体に格納されたコンピュータプログラムに関する。プログラムが移動電話のメモリにロードされて実行されると、移動電話は、割り当てられたＩＰアドレスに基づいて、無線ローカルエリアネットワークを介して受信されたストリーミングオーディオをヘッドセットにルーティングする。
【００３１】
本発明の他のシステム、デバイス、方法、特徴及び利点は、以下の図面及び詳細な説明を考察することにより当業者には明らかとなるだろう。そのような全ての追加のシステム、方法、特徴及び利点が本明細書内に含まれ、本発明の範囲内であり且つ添付の請求の範囲により保護されることを意図する。
【００３２】
用語「具備する」は、本明細書において使用される場合、記載される特徴、数字、ステップ又は構成要素の存在を特定するために使用されるが、１つ以上の他の特徴、数字、ステップ、構成要素又はそれらの集合の存在又は追加を除外しないことが強調されるべきである。
【００３３】
用語「電子機器」は、携帯無線通信機器を含む。以下において移動無線端末と呼ばれる「携帯無線通信機器」という用語は、移動電話、ページャ、通信機、すなわち電子オーガナイザ、パーソナルデジタルアシスタント（ＰＤＡ）、携帯通信装置又はスマートフォン等の全ての機器を含む。
【００３４】
図面を参照して、本発明の上述の実施形態及び他の実施形態を以下に説明する。図中の構成要素は一定の比率とは限らず、本発明の原理を明確に示すことを重視している。同様に、１つの図面に示される要素及び特徴は、他の図面に示される要素及び特徴と組み合わされてもよい。更に、図中、同様の図中記号は対応する部分を示す。
【発明を実施するための最良の形態】
【００３５】
本発明は、無線ローカルエリアネットワーク又はワイドエリアネットワークと関連する１つ以上のデバイスと、移動電話又は移動電話又はその両方のアクセサリとの間でマルチメディアコンテンツをレンダリングするシステム及び方法に関する。移動電話は、リモートサーバ上に格納されたマルチメディアコンテンツ（例えば、オーディオファイル、ビデオファイル等）をルーティングするゲートウェイ又はプロキシとして動作する。
【００３６】
主に移動電話に関して本発明を説明する。しかし、本発明は、移動電話にのみ関連することを意図せず、任意の種類の電子機器に関連してもよいことが理解されるだろう。本発明の面から利益を得られる他の種類の電子機器は、少なくともオーディオ再生機能又はオーディオ再生機能の他にビデオ再生機能を有する再生デバイスを含む。好適な再生デバイスには、ＭＰ３プレーヤ、ＣＤプレーヤ及びＤＶＤプレーヤーが含まれる。
【００３７】
図１を参照すると、電子機器アセンブリ１０が本発明に従って示される。図示される電子機器アセンブリ１０は、電子機器１２及び無線結合された電子機器アクセサリ１４を含む。好適な実施形態における電子機器１２は移動電話であり、移動電話１２として示される。移動電話１２は「ストレート」型筺体１６を有するものとして示されるが、折りたたみ型筺体又はスライド型筺体等の他の種類の筺体が、本発明の範囲を逸脱せずに利用されてもよいことが理解されるだろう。
【００３８】
好適な実施形態における電子機器アクセサリ１４はレンダリングデバイスであり、ヘッドセット１４として示される。ヘッドセット１４は、無線リンクを介して移動電話１２とオーディオデータを交換する耳に固定可能なスピーカ／マイクアセンブリとして示される。移動電話１０から信号を受信するように動作可能な任意のレンダリングデバイスが、本発明の範囲内に入ると考えられることが当業者には理解されるだろう。例えば、適切なレンダリングデバイスは、ヘッドホン、イヤホン、スピーカ、テレビ及びステレオ等を含む。
【００３９】
本明細書においては説明の目的で、例えば本明細書に参考として全ての内容が取り入れられている２００４年１１月４日付けのSpecification of the Bluetooth System, Covered Core Package version 2.0 + EDRに従うＢｌｕｅｔｏｏｔｈプロトコルを使用して、無線リンクは確立される。移動電話１２又はヘッドセット１４又はその両方にデータを送信するために、他の適切な無線インタフェース（例えば、無線周波数、８０２．１１対応プロトコル、赤外線等）が使用されてもよい。
【００４０】
移動電話１２は、ディスプレイ１８を含む。ディスプレイ１８は、ユーザに動作状態、時刻、電話番号、連絡先情報、種々のナビゲーションメニュー等の情報を表示する。これにより、ユーザは移動電話１２の種々の特徴を利用できる。ディスプレイ１８は、１つ以上のリモートソース（例えば、メディアサーバ）から移動電話１２又はヘッドセット１４又はその両方によりアクセス可能なコンテンツを視覚的に表示するために使用されてもよい。表示されたコンテンツは、移動電話１２のメモリ２０（図２）にローカルに格納されるか、又は移動電話１２から離れて（例えば、リモート記憶装置、メディアサーバ、リモートパーソナルコンピュータ等に）格納されるか、又はその両方であるオーディオ又はビデオプレゼンテーション又はその両方を含んでもよい。そのようなプレゼンテーションは、オーディオ又はビデオファイル又はその両方を含むマルチメディアファイル、受信したモバイルラジオ信号又テレビ信号又はその両方等から得られてもよい。多くの状況において、ビデオプレゼンテーションにはオーディオプレゼンテーションが付随する。例えば、表示されたビデオコンポーネントは「音楽ビデオ」であってもよく、対応するオーディオコンポーネントはビデオコンポーネントと同期することを意図した音楽であってもよい。別の例として、表示されるビデオコンポーネントは受信した移動テレビ信号に対応してもよく、対応するオーディオコンポーネントはビデオコンポーネントと同期することを意図した音声又は音楽又はその両方であってもよい。
【００４１】
オーディオコンポーネントは、移動電話１２のスピーカ２２を使用してユーザに同報通信されてもよい。あるいは、オーディオコンポーネントは、ヘッドセット１４のスピーカ２４（図２）を使用してユーザに同報通信されてもよい。ステレオを聴くために、ヘッドセット１４は一対のスピーカ２４を含んでもよい。コンテンツソースから移動電話１２及びヘッドセット１４へのオーディオデータの出力を以下に更に詳細に説明する。
【００４２】
移動電話１２は、種々のユーザ入力動作に対応するキーパッド２６を更に含む。例えばキーパッド２６は、電話番号、電話リスト、連絡先情報、メモ等の英数字情報の入力を可能にする英数字キー２８を含んでもよい。更に、一般にキーパッド２６は、通話を開始するか又は電話に出るための「通話送出」キー、通話を終了、すなわち電話を「切る」ための「終話」キー等の特別なファンクションキーを含んでもよい。特別なファンクションキーは、従来のように、例えば種々の電話機能、プロファイル、設定等を選択するためにディスプレイ１８に表示されるメニューをナビゲートするためのメニューナビゲーションキーを更に含んでもよい。移動電話１２と関連付けられる他のキーは、音量キー、消音キー、電源ＯＮ／ＯＦＦキー、ウェブブラウザ起動キー、カメラキー等を含んでもよい。キー又はキーと同様の機能性は、ディスプレイ１８に関連付けられるタッチスクリーンとして組み込まれてもよい。
【００４３】
移動電話１２は、移動電話１２が一般に別の移動電話又は固定電話である着呼／発呼デバイスとの通話を確立すること又はそのデバイス又はその両方と信号を交換することを可能にする従来の通話回路網を含む。しかし、着呼／発呼デバイスは別の電話機である必要はなく、インターネットウェブサーバ、コンテンツ提供サーバ等の他のデバイスであってもよい。
【００４４】
図２を参照すると、電子機器アセンブリ１０の機能ブロック図が示される。移動電話１２は、移動電話１２の機能及び動作の全体の制御を実行するように構成される主制御回路３０を含む。制御回路３０は、ＣＰＵ、マイクロコントローラ又はマイクロプロセッサ等の処理デバイス３２を含んでもよい。処理デバイス３２は、移動電話１２の従来の動作を実行するために、制御回路３０内のメモリ（不図示）又はメモリ２０等の別個のメモリ又はその両方に格納されたコードを実行する。例えばメモリ２０は、バッファ、フラッシュメモリ、ハードドライブ、取り外し可能媒体、揮発性メモリ又は不揮発性メモリ、あるいはそれらの組合せであってもよい。更に処理デバイス３２は、移動電話１２の種々の機能を実行するためにコードを実行する。
【００４５】
図１及び図２を継続して参照すると、移動電話１２は、無線回路３６に結合されたアンテナ３４を含む。無線回路３６は、従来のようにアンテナ３４を介して信号を送信するための無線周波数送信機及び信号を受信するための無線周波数受信機を含む。移動電話１２は、無線回路３６により送信されるオーディオ信号／無線回路３６から受信されるオーディオ信号を処理するための音声信号処理回路３８を更に含む。従来のように、ユーザが移動電話１２を介して聞いたり話したりできるようにするスピーカ２２及びマイク４０は、音声処理回路３８に結合される。無線回路３６及び音声処理回路３８は、全体の動作を実行するように制御回路３０にそれぞれ結合される。
【００４６】
移動電話１２は、制御回路３０に結合された上述のディスプレイ１８及びキーパッド２６を更に含む。移動電話１２は、Ｉ／Ｏインタフェース４２を更に含む。Ｉ／Ｏインタフェース４２は、移動電話１２の底部のマルチエレメントコネクタ等の一般的な移動電話Ｉ／Ｏインタフェースの形態であってもよい。通常と同様に、Ｉ／Ｏインタフェース４２は、移動電話１２内の電源供給ユニット（ＰＳＵ）４４に充電するために移動電話１２を充電器に結合するのに使用されてもよい。それに加えて又はその代わりに、Ｉ／Ｏインタフェース４２は、有線パーソナルハンズフリーアダプタ、パーソナルコンピュータ又は他のデバイスにデータケーブルを介して移動電話１２を接続するのに利用されてもよい。移動電話１２は、時間測定機能を実行するためのタイマ４６を更に含んでもよい。そのような機能は、通話時間を測定すること、時刻及び日付のスタンプの内容を生成すること等を含んでもよい。
【００４７】
移動電話１２は、デジタル写真を撮るためのカメラ４８等の種々の内蔵アクセサリを含んでもよい。その写真に対応する画像ファイルは、メモリ２０に格納されてもよい。一実施形態において、移動電話１２は、全地球測位衛星（ＧＰＳ）受信機又はガリレオ衛星システム受信機等の位置データ受信機（不図示）を更に含んでもよい。
【００４８】
ヘッドセット１４、別の移動電話、コンピュータ等の他のローカルに位置付けられたデバイスとの無線通信を確立するために、移動電話１２は、Ｂｌｕｅｔｏｏｔｈアダプタ等のローカル無線インタフェースアダプタ５０を含んでもよい。
【００４９】
無線ローカルエリアネットワーク及び無線アクセスポイント等の他のローカルに位置付けられたデバイスとの無線通信を確立するために、移動電話１２は、無線インタフェースアダプタ５１を更に含んでもよい。図２に示すように、無線インタフェースアダプタ５１は、無線ローカルエリアネットワークインタフェースアダプタであってもよく、本明細書においてはＷＬＡＮアダプタ５２と呼ばれる。ＷＬＡＮアダプタ５２は一例であり、任意の適切な接続技術が本発明に従って実現されてもよい（例えば、Ｂｌｕｅｔｏｏｔｈ、赤外線等）ことが、当業者には容易に理解されるだろう。ユーザが適切な特権を有しているか、又は適切に認証されたか、又はその両方であると仮定すると、ＷＬＡＮアダプタ５２は、１つ以上のＩＥＥＥ８０２．１１プロトコル（例えば、８０２．１１（ａ）、８０２．１１（ｂ）又は８０２．１１（ｇ）又はその両方等）と互換性があり、移動電話１２がＷＬＡＮ上で一意の識別子（例えば、ＭＡＣ及びＩＰアドレス）を取得し且つＷＬＡＮ上の１つ以上のデバイスと通信することを可能にするのが好ましい。
【００５０】
移動電話１２は、ワイドエリア通信システムにおいて動作するように構成されてもよい。システムは、移動電話１２によりかけられた電話及び移動電話１２に対してかけられた電話を管理し、移動電話１２にコンテンツ（例えば、画像ファイル、オーディオファイル、ビデオファイル、音声又はデータパケット、あるいはそれらの組合せ等）を送信し且つ任意の他のサポート機能を実行する１つ以上のサーバ又は通話制御要素を含むことができる。サーバは、ネットワーク及び伝送媒体を介して移動電話１２と通信する。伝送媒体は、例えば、通信塔、別の移動電話、無線アクセスポイント、衛星等を含む任意の適切なアセンブリ又はデバイスであってもよい。ネットワークの一部には、無線伝送経路が含まれてもよい。
【００５１】
ヘッドセット１４は、ヘッドセット１４の機能及び動作の全体の制御を実行するように構成される主制御回路５４を含む。制御回路５４は、ＣＰＵ、マイクロコントローラ又はマイクロプロセッサ等の処理デバイス５６を含んでもよい。処理デバイス５６は、本明細書において説明されるように、ヘッドセット１４の動作を実行するために、制御回路５４内のメモリ（不図示）又はメモリ（不図示）等の別個のメモリ、又はその両方に格納されたコードを実行する。例えばメモリは、バッファ、フラッシュメモリ、ハードドライブ、取り外し可能媒体、揮発性メモリ又は不揮発性メモリ、あるいはそれらの組合せであってもよい。更に処理デバイス５６は、ヘッドセット１４の種々の機能を実行するためにコードを実行する。
【００５２】
ヘッドセット１４は、ヘッドセット１４と移動電話１２との間に無線インタフェースを確立するために移動電話１２のローカルインタフェースアダプタ５０と互換性のあるローカルインタフェースアダプタ５８を含む。ローカルインタフェースアダプタ５８は、制御回路５４と結合され、ローカルインタフェースアダプタ５８により受信又は送信又はその両方が行われた情報又はデータ又はその両方を選択的に制御及び処理する。上述したように、ローカルインタフェースアダプタ５８はＢｌｕｅｔｏｏｔｈと互換性があるのが好ましい。アダプタ５０とアダプタ５８との間に確立された無線インタフェースは、移動電話１２とヘッドセット１４との間でオーディオデータ、コマンド、制御又は状態情報、あるいはそれらの組合せ等のデータを交換するために使用されてもよい。Ｂｌｕｅｔｏｏｔｈ無線通信インタフェースの基本的な動作は当業者には理解されるため、本明細書では簡単にするために詳細を説明しない。
【００５３】
ヘッドセット１４は、ＷＬＡＮインタフェースアダプタ６０を更に含む。ＷＬＡＮインタフェースアダプタ６０は制御回路５４に結合され、ＷＬＡＮインタフェースアダプタ６０により受信又は送信又はその両方が行われた情報又はデータ又はその両方を選択的に制御及び処理する。ユーザが適切な特権を有するか又は適切に認証されたか、あるいはその両方であると仮定すると、ＷＬＡＮアダプタ６０は、１つ以上のＩＥＥＥ８０２．１１プロトコル（例えば、８０２．１１（ａ）、８０２．１１（ｂ）又は８０２．１１（ｇ）、あるいはそれらの組合せ等）と互換性があり、ヘッドセット１４がＷＬＡＮ上で一意のアドレス（例えば、ＩＰアドレス）を取得し且つＷＬＡＮと関連する１つ以上のデバイスと通信することを可能にするのが好ましい。ＷＬＡＮインタフェースに関連してインタフェースアダプタ６０を説明したが、上述の無線インタフェースアダプタ５２と同様に、インタフェースアダプタ６０は本発明に従って任意の適切な接続技術を実現してもよい（例えば、Ｂｌｕｅｔｏｏｔｈ、赤外線等）。
【００５４】
ヘッドセット１４は、オーディオデータを管理するオーディオデータ処理デバイス６２を更に含む。例えばオーディオデータ処理デバイス６２は、ヘッドセット１４に結合されたマイク６６から受信されるオーディオ信号を符号化するエンコーダ６４を含んでもよい。符号化オーディオデータは、電話通話の一部として使用するために移動電話１２に送信されてもよい。
【００５５】
更にオーディオデータ処理デバイス６２は、デコーダ６８及びデータバッファ７０を含んでもよく、移動電話１２又はＷＬＡＮ又はその両方と関連する１つ以上のデバイスから受信されるオーディオデータを処理する。
【００５６】
受信されるオーディオデータは、電話通話に関連する入力オーディオデータであってもよい。他の状況において、ヘッドセット１４により受信されるオーディオデータは、移動電話１２により再生されるオーディオファイルから得られるオーディオ（例えば、音楽、サウンド、音声等）であってもよい。以下に説明するように、ヘッドセット１４により受信されるオーディオデータは、ＷＬＡＮと関連する１つ以上のデバイスから発信され、ユーザが聴くためにヘッドセット１４に送信又はストリーム、又はその両方が行われてもよい。更に他の状況において、オーディオデータは、移動電話１２によりディスプレイ１８上に表示されるビデオコンテンツと関連付けられてもよい。例えば、メモリ２０に格納されたオーディオコンポーネントを含むビデオファイルは移動電話１２により再生されてもよく、あるいはオーディオコンポーネントを含むビデオ信号は移動電話１２により受信されてもよい。
【００５７】
それらの状況において、受信ビデオ信号又はビデオファイルのビデオコンポーネントは、例えば制御回路３０又は専用ビデオデコーダ（不図示）により復号化され、閲覧するためにディスプレイ１８に出力されるビデオ信号を生成してもよい。受信ビデオ信号又はビデオファイルのオーディオコンポーネントは復号化されてスピーカ２２にオーディオ信号として出力されてもよく、又はオーディオコンポーネントはスピーカ２４により同報通信されるオーディオ信号に復号化するためにヘッドセット１４にオーディオデータとして送信されてもよく、又はその両方が行われても良い。別の実施形態において、受信ビデオ信号又はビデオファイルのオーディオコンポーネントは、スピーカ２４により同報通信されるオーディオ信号に復号化するために、移動電話１２に送信することなくローカルエリアネットワークと関連する１つ以上のデバイスからヘッドセット１４にオーディオデータとして直接送信されてもよい。
【００５８】
以下に詳細に説明するように、移動電話１２からヘッドセット１４に送信され、又はＷＬＡＮに関連する１つ以上のデバイスからヘッドセット１４に送信され、或いはその両方が行われるオーディオデータは、一般にメディアパケットの形式である。各メディアパケットは、約５ミリ秒のオーディオデータ等のある量のオーディオデータを含んでもよい。オーディオデータは、バッファ６２によりバッファリングされ、スピーカ２４に出力するためにデコーダ６０によりオーディオ信号に復号化されてもよい。当業者には理解されるように、オーディオデータは、モノラルサウンド、ステレオサウンド又はサラウンドサウンドであってもよく、あるいは任意の他の適切なオーディオ形式で構成されてもよい。
【００５９】
本発明の面に係る好適な通信ネットワーク１００を図３に示す。図３に示される好適なネットワークは、パブリック無線ローカルエリアネットワークであり、インターネット技術標準化委員会（ＩＥＴＦ）プロトコル（例えば、ＩＰ、ＴＣＰ、ＵＤＰ、ＲＴＰ及びＨＴＴＰ等）をエンドポイント間（例えば、ストリーミングソースとレンダリングデバイス（例えば、ヘッドセット）との間）で利用する。この図において、移動電話１２は、１つ以上のルータ１０４及びＩＰネットワーク１０６を介してサーバ１０２に格納されたコンテンツ（例えば、オーディオファイル、ビデオファイル等）をルーティングするゲートウェイ又はプロキシとして動作する。ＩＰネットワーク１０６は、宛先ソースに対する任意の適切なネットワークであってもよい。マルチメディアコンテンツは、無線でＩＰネットワーク１０６及びオプションとしてルータ１０４から有線ＬＡＮ１０８に送信され、アクセスポイント１１０にルーティングされ、宛先ソース（例えば、移動電話１２又はレンダリングデバイス１４又はその両方）に出力される。
【００６０】
サーバ１０２は有線ＬＡＮ１０８外にあるものとして示されるが、これは図示する目的のためである。サーバ１０２が、サーバ１０２又はＬＡＮ１０８又はその両方の特定の要求に依存して有線ＬＡＮ１０８内に配置されてもよく、あるいはインターネットを介してＬＡＮ１０８に接続されるリモートネットワーク上にあってもよいことが、当業者には容易に理解されるだろう。また、好適なＬＡＮ１０８が無線ローカルエリアネットワーク、ワイドエリアネットワーク、パーソナルエリアアクセス技術（例えば、無線ローカルエリアネットワーク、セルラネットワーク、ＷｉＭａｘ、ウルトラワイドバンドネットワーク等）又はパブリックネットワーク（例えば、インターネット）、或いはそれらの組合せであってもよいことが、当業者には理解されるだろう。
【００６１】
図３に示すように、ＬＡＮ１０８はアクセスポイント１１０に通信可能に結合される。アクセスポイント１１０は、移動電話１２又はヘッドセット１４又はその両方とＬＡＮ１０８との間で無線通信媒体を提供する。従って、移動電話１２又はヘッドセット１４又はその両方は、サーバ１０２に通信可能に結合される。
【００６２】
デバイス間の通信媒体は、電子デバイスが情報又はデータを交換できるようにする任意の媒体の形式をとることが当業者には理解されるだろう。例えば通信媒体は、イーサネット（登録商標）等の有線通信媒体であってもよく、あるいはＩＥＥＥ８０２．１１（ａ）、８０２．１１（ｂ）又は８０２．１１（ｇ）等の無線通信媒体であってもよい。更に、通信媒体は、有線通信媒体及び無線通信媒体の組合せであってもよい。本明細書で説明される機能性を可能にする任意の通信媒体が本発明の範囲内であると考えられることは、当業者には理解されるだろう。通信媒体は、例えばＩＥＴＦ対応プロトコル（例えば、ＩＰ、ＴＣＰ、ＵＤＰ、ＲＴＰ及びＨＴＴＰ等）を含む種々のネットワークプロトコルをサポートできるのが好ましい。
【００６３】
図４は、好適なサーバ（例えば、サーバ１０２）を示す概略ブロック図である。サーバ１０２は、任意の種類のサーバであってもよい。サーバ１０２は、インターネット技術標準化委員会（ＩＥＴＦ）により開発されたプロトコル（例えば、ＩＰ、ＴＣＰ、ＵＤＰ、ＲＴＰ及びＨＴＴＰ等）と互換性のあるメディアサーバであるのが好ましい。一般にサーバ１０２は、プロセッサ１１０、メモリ１１２、データ記憶媒体１１４、ローカルインタフェース１１６、ビデオ／入出力インタフェース１１８及び種々の通信インタフェース１２０を含む。サーバ１０２は、オプションとしてディスプレイ１２２、キーボード１２４及びユーザ入力装置１２６（例えば、コンピュータのマウス）を含んでもよい。
【００６４】
サーバ１０２は、本発明の面に係る１つ以上のコンピュータアプリケーション１２８を実行できる。一実施形態において、コンピュータアプリケーション１２８は、関連するユーザから要求されると、ユーザが認識可能な形式でマルチメディアコンテンツ（例えば、オーディオファイル、ビデオファイル、視聴覚ファイル、写真、スライド、ラジオ、ストリーミングオーディオ又はビデオ、或いはそれらの組合せ等）を送信できる少なくとも１つのオーディオ又はビデオアプリケーションプログラムを含む。マルチメディアコンテンツは、データ記憶媒体１１４又はＷＬＡＮ１００に通信可能に結合されるリモート記憶媒体（不図示）に格納されてもよい。
【００６５】
上述したように、マルチメディアコンテンツは、任意の形式（例えば、オーディオ、ビデオ、写真、並びにストリーミングオーディオ又はビデオ、あるいはそれらの組合せ等）をとってもよく、任意の適切な形式（例えば、ＭＰＥＧ、ＡＶＩ、ＭＰ３、ＪＰＧ及びＴＩＦＦ）で格納されてもよい。サーバ１０２は、通信ソフトウェアを格納してもよい。通信ソフトウェアは、サーバ１０２又はリモート記憶媒体又はその両方に格納されたマルチメディアコンテンツを、要求デバイス又は要求デバイスと関連付けられる周辺装置（例えば、ヘッドセット１４）又はその両方により、ローカル又はリモート又はその両方でレンダリングできる形式に変換できる。あるいは、サーバ１０２は、周知の形式でマルチメディアコンテンツを提供し、要求デバイス又は要求デバイスと関連付けられる周辺装置又はその両方が任意の必要な変換を実行することを可能にしてもよい。
【００６６】
コンピュータアプリケーション１２８は、一般に実行可能なコードのコンパイルを含む１つ以上の追加のコンピュータアプリケーション又は１つ以上のサブコンピュータアプリケーション１３０に論理的に関連付けられてもよく、あるいはそれらを呼び出してもよい。一実施形態において、コンピュータアプリケーション１２８又はサブアプリケーション１３０又はその両方は１つ以上のコンピュータプログラム（例えば、実行可能なコードのコンパイルを含む１つ以上のソフトウェアアプリケーション）として実現されてもよい。コンピュータプログラムは、データ記憶媒体、あるいは磁気記憶装置又は光学記憶装置（例えば、ハードディスク、ＣＤ−ＲＯＭ、ＤＶＤ−ＲＯＭ等）等の他のコンピュータ可読媒体に格納できる。
【００６７】
コンピュータアプリケーション１２８及び関連するサブアプリケーション１３０を実行するために、サーバ１０２は、特定された論理ルーチンを実行する命令を実行するのに使用される１つ以上のプロセッサ１１０を含むことができる。サーバ１０２は、クライアントサーバアーキテクチャに基づくのが好ましく、複数のクライアントに対応してもよい。しかし、本明細書で説明する機能性を有するコンピュータの任意の組合せが本発明の範囲内に入ると考えられることは、当業者には容易に理解されるだろう。上述したように、サーバ１０２は、ＩＥＴＦプロトコル（例えば、ＩＰ、ＴＣＰ、ＵＤＰ、ＲＴＰ及びＨＴＴＰ等）と互換性のあるメディアサーバであってもよい。
【００６８】
サーバ１０２は、データ、ソフトウェア、論理ルーチン命令、コンピュータプログラム、ファイル、オペレーティングシステム命令及びマルチメディアコンテンツ等を格納するメモリ１１２を有してもよい。図４に示すように、コンピュータアプリケーション１２８及びサブアプリケーション１３０はメモリ１１２に格納される。メモリ１１２は、いくつかのデバイスを含むことができ、例えば揮発性メモリ構成要素及び不揮発性メモリ構成要素を含む。従って、メモリ１１２は、例えばランダムアクセスメモリ（ＲＡＭ）、読み出し専用メモリ（ＲＯＭ）、ハードディスク、フロッピディスク、コンパクトディスク（例えば、ＣＤ ＲＯＭ、ＤＶＤ ＲＯＭ、ＣＤ ＲＷ等）、テープ又は他のメモリ構成要素、或いはそれらの組合せ並びにそれらメモリの種類に対する関連するドライブ及びプレーヤを含むことができる。プロセッサ１１０、メモリ１１２及びデータ記憶媒体１１４は、ローカルインタフェース１１６を使用して結合される。ローカルインタフェース１１６は、例えば制御バス、ネットワーク又は他のサブシステムに関連するデータバスであってもよい。
【００６９】
サーバ１０２は、種々のビデオ／入出力インタフェース１１８及び１つ以上の通信インタフェース１２０を有することができる。インタフェース１１８は、ディスプレイ１２２（例えば、ＣＲＴディスプレイ、ＬＣＤディスプレイ、プラズマディスプレイ等）、キーボード１２４及びユーザ入力装置１２６等の種々の周辺装置にサーバ１０２を結合するために使用される。通信インタフェース１２０は、例えばモデム、ネットワークインタフェースカード又は無線ネットワークインタフェースカードから構成される。通信インタフェース１３０により、サーバ１０２はインターネット、ワイドエリアネットワーク（ＷＡＮ）、ローカルエリアネットワーク（ＬＡＮ）、直接データリンク、あるいは同様の有線システム（例えば、イーサネット（登録商標））又は無線システム（例えば、８０２．１１対応プロトコル）等の外部ネットワークを介してマルチメディアコンテンツ（例えば、オーディオファイル、ビデオファイル及び写真等）を送受信できる。システム１００は、有線通信インタフェース（例えば、イーサネット（登録商標））及び無線通信インタフェース（例えば、８０２．１１対応プロトコル）の双方に対して、本明細書で説明する機能性を達成する能力を有する。
【００７０】
サーバ１０２は、ＬＡＮ１０６を含むデバイス又は周辺装置又はその両方に対して情報（例えば、マルチメディアコンテンツ、データ、情報に対する要求等）を送受信する。一般にＬＡＮ１０６は、ネットワーク１００を含む任意の他のデバイスと通信（例えば、情報の受信又は送信又はその両方）できる任意の電子デバイスを含む。移動電話１２又はヘッドセット１４又はその両方は、ＷＬＡＮインタフェースアダプタ５２及び６０をそれぞれ介して、ネットワーク１００により提供される１つ以上のサービスにアクセスできる携帯デバイスである。
【００７１】
図３に示すように、ネットワーク１００は、アクセスポイント１１０及び１つ以上の中間デバイス（例えば、アクセスポイント１１０、ルータ１０４、ＩＰネットワーク１０６等）を介するＬＡＮ１０８から移動電話１２又はヘッドセット１４又はその両方への無線通信を含む。移動電話１２は、アクセスポイント１１０との通信のためにデバイスに結合される専用通信ハードウェア（例えば、トランシーバ）により、又はデバイスの内部プロセッサ、又はその両方により実行される通信プロトコルを提供される。移動電話のＷＬＡＮアダプタ５２は、一般に内蔵アンテナ（不図示）を含む。アンテナにより、ＷＬＡＮアダプタ５２は無線アクセスポイント１１０と信号を交換できる。一般にアクセスポイント１１０は、クライアントデバイス（例えば、ＬＡＮ１０８に関連するデバイス又は移動電話１２又はその両方）により実行される通信プロトコルに対応する通信プロトコルを実行する。アクセスポイント１１０は、種々のクライアントデバイスに信号を同報通信し且つクライアントデバイスにより同報通信された信号を受信するための通信ハードウェア（例えば、アンテナを有するトランシーバ）を更に含む。
【００７２】
図５Ａ及び図５Ｂは、移動電話１２及びヘッドセット１４に対して実現される好適なＩＥＴＦ標準プロトコルスタックをそれぞれ示す。図５Ａを参照すると、移動電話１２に対する好適なプロトコルスタックが示される。プロトコルスタック１５０は、ネットワーク層１５２、ＷｉＦｉ層１５４及びＢｌｕｅｔｏｏｔｈスタック１５３を含んでもよい。ネットワーク層１５２は、論理リンク層１５５、インターネットプロトコル（ＩＰ）層１５６、ユーザデータグラムプロトコル（ＵＤＰ）層１５８、伝送制御プロトコル（ＴＣＰ）層１６０及びデータリンク制御プロトコル（ＤＬＣＰ）層１６２を含む。ＷｉＦｉ層１５４は、８０２．１１無線周波数（ＲＦ）層１６４、８０２．１１物理（ＰＨＹ）層１６６及び８０２．１１媒体アクセス制御（ＭＡＣ）層１６８を含む。ネットワーク層１５２及びＷｉＦｉ層１５４は、認証／セキュリティモジュール１７０と通信する。同様に、Ｂｌｕｅｔｏｏｔｈスタック１５３はネットワーク層１５２及び認証／セキュリティモジュール１７０と通信してもよい。
【００７３】
図５Ｂを参照すると、ヘッドセット１４に対する好適なプロトコルスタック１８０が示される。プロトコルスタック１８０は、ネットワーク層１８２、ＷｉＦｉ層１８４及びＢｌｕｅｔｏｏｔｈスタック１８５を含む。ネットワーク層１８２は、論理リンク層１８６、インターネットプロトコル（ＩＰ）層１８８、ユーザデータグラムプロトコル（ＵＤＰ）層１９０、伝送制御プロトコル（ＴＣＰ）層１９２及びリアルタイム転送プロトコル／リアルタイム制御プロトコル（ＲＴＰ／ＲＴＣＰ）層１９４を含む。ＷｉＦｉ層１８４は、８０２．１１無線周波数（ＲＦ）層１９６、８０２．１１物理（ＰＨＹ）層１９８及び８０２．１１媒体アクセス制御（ＭＡＣ）層２００を含む。ヘッドホン１４は、各層（例えば、Ｂｌｕｅｔｏｏｔｈスタック１８５、ＷｉＦｉ層１８４）を介してＢｌｕｅｔｏｏｔｈ信号及びＷｉＦｉ信号を受信及びレンダリングできる。
【００７４】
移動電話１２は、ダイナミックホストコンフィギュレーションプロトコル（ＤＨＣＰ）と一般にネットワークゲートウェイにおいて見つけられるネットワークアドレス変換（ＮＡＴ）サーバ機能性とを更に含む。このように、ヘッドセット１４等の移動電話１２の周辺装置は、ゲートウェイを超えてネットワークから「見えない」サブネットとみなされる。ＤＨＣＰ及びＮＡＴをそれぞれ使用することにより、移動電話はサブネットＩＰアドレスを周辺装置に割り当て、割り当てられたサブネットアドレスに基づいてネットワークからの入力ＩＰトラフィック（例えば、ストリーミングオーディオ）を適切な周辺装置に送出する。
【００７５】
本発明の面に係る好適な方法２５０を図６に示す。図３及び図６を参照すると、ステップ２５２において、ユーザはヘッドセット１４を移動電話１２と関連付ける。ヘッドセット１４は、サーバ１０２から送信される１つ以上のオーディオコンポーネントをレンダリングするためのオーディオシンクエンドポイント（例えば、レンダリングデバイス）として指定される。ヘッドセット１４は、プライベートサブネットの一部となり、移動電話１２のＤＨＣＰサーバからＩＰアドレスを受信する。
【００７６】
ステップ２５４において、移動電話１２は、アクセスポイント１１０を介するネットワーク１００へのアクセスを要求する。要求は、例えばネゴシエーションの相手、要求されたサービス、情報の形式等を特定できるセッション記述プロトコル（ＳＤＰ）ペイロードフィールドを含んでもよい。図３に示す好適なシステムにおいて、パブリックＷＬＡＮ１００が提供される。ここで、ユーザはネットワーク１００にアクセスする前に認証される必要がある。従って、ステップ２５６において、要求は１つ以上のリダイレクトサーバ及び／又はプロキシサーバ（不図示）によりＡＡＡサーバ１０９にルーティングされる。ＡＡＡサーバ１０９は、認証サービスをパブリックネットワーク１００に提供する。ユーザが適切に認証されたと仮定すると、ステップ２５８において、ユーザはネットワーク１００へのアクセス権を提供される。ユーザが自身を適切に認証できない場合、ユーザはパブリックネットワーク１００へのアクセスを拒否される。
【００７７】
ステップ２６０において、利用可能なサービス又はデバイス又はその両方のＩＤが移動電話１２に提供される。ネットワークアクセスが確立されると、ステップ２６２において、移動電話１２のユーザはリモートサーバ１０２上で所望のオーディオコンテンツ又はデバイス又はその両方を識別してもよい。例えば、これはサーバ１０２上に格納されたコンテンツ（例えば、パーソナルサーバ、自宅のパーソナルコンピュータ、メディアサーバ等、あるいは有料音楽サービス（例えば、ｉＴｕｎｅｓ、オペレータポータル等）からのコンテンツ）である。ユーザは、ストリームする所望のコンテンツを選択し、サーバ１０２とのストリーミングセッションを開始する。移動電話１２は、サーバ１０２から保留中のメディアフローを受け入れるようにヘッドセット１４を更に構成する。
【００７８】
ステップ２６４において、サーバはネットワーク１００を介して従来のＩＥＴＦプロトコル（例えば、ＲＴＰ、ＵＤＰ及びＩＰ）を使用して移動電話１２にオーディオを送信する。ステップ２６６において、移動電話１２は、内部サブネットにおいてヘッドセット１４の正確なアドレスを確立するためにＮＡＴを使用して、それらパケットをヘッドセット１４に転送する。ステップ２６８において、ヘッドセット１４は、ストリーミングオーディオをアンパックし、復号化し、１つ以上のスピーカ２４を介してユーザが認識可能な形式でレンダリングする。
【００７９】
この例において、セッション制御は移動電話１２により管理され、メディアストリームはサーバとヘッドセットとの間で確立される。セッション制御は、ヘッドセット１４のローカルインタフェースアダプタ５８と移動電話１２のローカルインタフェースアダプタ５０との間でそれぞれ行なわれてもよい。セッション制御は、ヘッドセットのＷＬＡＮインタフェースアダプタ６０と移動電話１２のＷＬＡＮインタフェースアダプタ５２との間でそれぞれ行なわれてもよい。一般にステップ２５２〜ステップ２６８は、新しいセッションが開始すると繰り返される。好適な方法２５０は、ＷＬＡＮインタフェースアダプタ５２及び６０を利用してサーバ１０２からヘッドセット１４にオーディオをストリームする。
【００８０】
本明細書において本発明の特定の実施形態を開示する。本発明が他の環境において他の応用例を有してもよいことは、当業者には容易に認識されるだろう。実際には、多くの実施形態及び実現例が可能である。添付の請求の範囲は、本発明の範囲を上述の特定の実施形態に限定することを意図しない。更に、「〜する手段」という記述は、要素及び請求項を解釈する手段＋機能を含むことを意図し、「〜する手段」という記述を特に使用しない要素は、請求項が「手段」という用語を含む場合でも手段＋機能の要素として解釈されることを意図しない。尚、明細書では特定の順番で行なわれる方法ステップを列挙したが、それらステップは任意の順番で又は同時に実行されてもよい。
【００８１】
本発明のコンピュータプログラム要素は、ハードウェア又はソフトウェア（ファームウェア、常駐ソフトウェア、マイクロコード等を含む）又はその両方で実現されてもよい。本発明は、命令実行システムにより使用するか又はそれと関連して使用するために、コンピュータ使用可能又はコンピュータ可読プログラム命令、「コード」又は「コンピュータプログラム」を実装したコンピュータ使用可能媒体又はコンピュータ可読媒体により実現されるコンピュータプログラム製品の形態をとってもよい。本明細書の説明において、コンピュータ使用可能媒体又はコンピュータ可読媒体は、命令実行システム、装置又はデバイスにより使用するか又はそれと関連して使用するためにプログラムを含有、格納、通信、伝播又は転送できる任意の媒体であってもよい。コンピュータ使用可能媒体又はコンピュータ可読媒体は、例えば電子、磁気、光、電磁気、赤外線又は半導体のシステム、装置、デバイス、又はインターネット等の伝播媒体であってもよいが、それらに限定されない。尚、コンピュータ使用可能媒体又はコンピュータ可読媒体は、プログラムが印刷された紙又は別の適切な媒体であってもよい。これは、プログラムが例えば紙又は他の媒体を光走査することにより電子的に取り込まれ、その後適切な方法でコンパイル、解釈又は処理可能だからである。コンピュータプログラム製品、並びに本明細書で説明した任意のソフトウェア及びハードウェアは、実施形態において本発明の機能を実行する種々の手段を形成する。
【図面の簡単な説明】
【００８２】
【図１】本発明の面に係る移動電話及びヘッドセットを示すブロック図である。
【図２】本発明の面に係る移動電話及びヘッドセットを示す概略図である。
【図３】本発明の面に係るネットワークを示すブロック図である。
【図４】本発明の面に係るサーバを示す概略図である。
【図５Ａ】、
【図５Ｂ】本発明の面に係る移動電話及びレンダリングデバイスに関連するプロトコルスタックを示す図である。
【図６】本発明の面に係る方法を示すフローチャートである。
【図１】
2009538087.tif 000003
【図２】
2009538087.tif 000004
【図３】
2009538087.tif 000005
【図４】
2009538087.tif 000006
【図５Ａ】
2009538087.tif 000007
【図５Ｂ】
2009538087.tif 000008
【図６】
2009538087.tif 000009
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
マルチメディアコンテンツをレンダリングする方法であって、
移動電話（１２）により少なくとも１つのリモートサーバ（１０２）を含む無線ネットワーク（１００）へのアクセスを要求する工程と、
前記移動電話（１２）によりプライベートサブネット上のインターネットプロトコル（ＩＰ）アドレスをレンダリングデバイス（１４）に割り当てる工程と、
前記無線ネットワーク（１００）と関連付けられる関連するユーザにより少なくとも１つのサービス又はデバイス又はその両方を選択する工程と、
前記割り当てられたサブネットのＩＰアドレスに基づいて、前記選択されたサービス又はデバイス又はその両方に関連するストリーミングオーディオを、ローカルエリアネットワークに関連づけられた１以上のデバイスから前記レンダリングデバイス（１４）に、移動電話（１２）に送信することなく直接ルーティングする工程と
を有する方法。
【請求項２】
前記移動電話（１２）は、ダイナミックホストコンフィギュレーションプロトコルを利用して前記ネットワーク（１００）からの受信信号に対する１つ以上の動作を提供するように構成される請求項１記載の方法。
【請求項３】
前記移動電話（１２）は、ネットワークアドレス変換を利用して前記ネットワーク（１００）からの受信信号に対する１つ以上の動作を提供するように構成される請求項１又は２記載の方法。
【請求項４】
前記アクセスに対する要求は、前記移動電話（１２）と関連付けられる無線ローカルエリアアダプタ（５２）により送信される請求項１から３のいずれか１項に記載の方法。
【請求項５】
前記無線ネットワーク（１００）へのアクセスを要求する前に、前記移動電話（１２）を前記レンダリングデバイス（１４）に関連付けることを更に含む請求項１から４のいずれか１項に記載の方法。
【請求項６】
前記レンダリングデバイス（１４）は無線ヘッドセットである請求項１から５のいずれか１項に記載の方法。
【請求項７】
前記無線ネットワーク（１００）上で利用可能なサービス又はデバイス又はその両方のＩＤを提供する前に、前記ネットワーク（１００）により前記移動電話（１２）を認証することを更に含む請求項１から６のいずれか１項に記載の方法。
【請求項８】
マルチメディアをレンダリングする方法であって、
少なくとも１つの無線アクセスポイント（１１０）及び１つ以上のサーバ（１０２）を含む無線ローカルエリアネットワーク（１００）において移動電話（１０）の一意のアドレスを取得する工程と、
前記移動電話（１２）と関連付けられるレンダリングデバイス（１４）にプライベートサブネット上のインターネットプロトコル（ＩＰ）アドレスを割り当てる工程と、
前記移動電話（１２）を介して前記ネットワーク（１００）上の前記サーバ（１０２）のうち少なくとも１つからの情報を要求する工程と、
前記情報に対する要求に応答して前記移動電話（１２）により情報を受信する工程と、
前記割り当てられたサブネットのＩＰアドレスに基づいて、前記要求された情報と関連付けられるストリーミングオーディオを、ローカルエリアネットワークに関連づけられた１以上のデバイスから前記レンダリングデバイス（１４）に、移動電話（１２）に送信することなく直接送出する工程と
を有する方法。
【請求項９】
前記一意のアドレスは、前記無線ローカルエリアネットワーク（１００）と関連付けられるインターネットプロトコルアドレスである請求項８記載の方法。
【請求項１０】
マルチメディアコンテンツをレンダリングする方法であって、
移動電話（１２）により無線ネットワーク（１００）へのアクセスを要求する工程と、
前記無線ネットワーク（１００）上でセッションを確立する工程と、
前記移動電話（１２）によりプライベートサブネット上のインターネットプロトコル（ＩＰ）アドレスを周辺装置（１４）に割り当てる工程と、
前記無線ネットワーク（１００）に通信可能に結合された関連するサーバ（１０２）から前記移動電話（１２）にサービス又はデバイス又はその両方のＩＤを提供する工程と、
関連するユーザにより少なくとも１つのサービス又はデバイス又はその両方を選択する工程と、
前記割り当てられたサブネットのＩＰアドレスに基づいて、前記選択されたサービス又はデバイス又はその両方に関連するストリーミングオーディオを、ローカルエリアネットワークに関連づけられた１以上のデバイスから前記周辺装置に、移動電話（１２）に送信することなく直接ルーティングする工程と
を有する方法。
【国際調査報告】
2009538087.tif 000010
2009538087.tif 000011
2009538087.tif 000012